(57)【要約】【課題】ノード構成が変動するシステムであっても各ノードに対して階層的に構成されたＩＤを割当て可能とする通信制御方法および無線通信システムを得ること。【解決手段】本発明にかかる通信制御方法は、新規に起動した基地局４が、自身のコンタクト情報を含む起動通知をコアネットワークノード１Ａに送信する起動通知送信ステップと、起動通知を受け取ったコアネットワークノード１Ａが、自身のノードＩＤと基地局４に新たに払い出した固有のＩＤとを組み合わせたノード固有のＩＤ領域、および、基地局４のさらに下位のノードへのＩＤ割当て領域、を含む階層化されたノードＩＤを、基地局４に対して割当てるＩＤ割当てステップと、を含む。【選択図】        図１
2009164785.tif 000002
【特許請求の範囲】
【請求項１】
複数のノードで階層構造を形成し、ノード間で階層化されたノードＩＤを構成する無線通信システム、における通信制御方法であって、
新規に起動した新規ノードが、自身のコンタクト情報を含む起動通知を上位ノードに送信する起動通知送信ステップと、
起動通知を受け取った上位ノードが、自身のノードＩＤと前記新規ノードに新たに払い出した固有のＩＤとを組み合わせたノード固有のＩＤ領域、および、前記新規ノードのさらに下位のノードへのＩＤ割当て領域、を含む前記階層化されたノードＩＤを、前記新規ノードに対して割当てるＩＤ割当てステップと、
を含むことを特徴とする通信制御方法。
【請求項２】
前記上位ノードは、下位ノードのノードＩＤおよびコンタクト情報を含むノード情報を下位ノードリストとして保持することとし、
さらに、
前記上記ノードが、下位ノードリストに前記新規ノードのノード情報を動的に追加する下位ノードリスト更新ステップ、
を含むことを特徴とする請求項１に記載の通信制御方法。
【請求項３】
前記システムを構成する各ノードは、隣接ノードのノード情報を隣接ノードリストとして保持することとし、
さらに、
前記上位ノードが、前記新規ノードに対して、当該新規ノードに隣接する隣接ノードのノード情報を通知するノード情報通知ステップと、
前記新規ノードが、前記上位ノードから受け取ったノード情報に基づき自身のノード情報を前記隣接ノードに対して送信し、前記隣接ノードが、自身のノード情報を前記新規ノードに対して返信することによって、相互の隣接ノードリストを更新する隣接ノードリスト更新ステップと、
を含むことを特徴とする請求項２に記載の通信制御方法。
【請求項４】
特定のノードと通信中の無線通信端末がハンドオーバを行う場合、移動元ノードと移動先ノードとの間で送受信されるハンドオーバ制御メッセージの転送経路を、当該メッセージを受け取ったノードが前記隣接ノードリストまたは前記下位ノードリストに基づいて自律的に決定することを特徴とする請求項３に記載の通信制御方法。
【請求項５】
前記上位ノードは、前記階層化されたノードＩＤを割当てる場合、所定のビットマスクによりマスクされた領域をノード固有のＩＤ領域とし、前記所定のビットマスクによりマスクされていない領域を、前記新規ノードのさらに下位のノードへのＩＤ割当て領域とすることを特徴とする請求項１〜４のいずれか一つに記載の通信制御方法。
【請求項６】
前記上位ノードは、前記階層化されたノードＩＤを割当てる場合、前記ノード固有のＩＤ領域を示す情報としてプレフィクス長を通知し、プレフィックス長で指定されていない領域を、前記新規ノードのさらに下位のノードへのＩＤ割当て領域とすることを特徴とする請求項１〜４のいずれか一つに記載の通信制御方法。
【請求項７】
前記起動通知送信ステップでは、さらに自身が提供可能なセル数の上限値を含めて起動通知を送信し、
前記ＩＤ割当てステップでは、さらに前記上限値を加味して前記階層化されたノードＩＤを割当てることを特徴とする請求項１〜６のいずれか一つに記載の通信制御方法。
【請求項８】
前記ＩＤ割当てステップでは、前記新規ノードに対して割当てるノードＩＤに空きがない場合、前記上位ノードが、既にノードＩＤを割当てている他の下位ノードに対して空きＩＤの返却を要請し、返却されたノードＩＤを前記新規ノードに対して割当てることを特徴とする請求項７に記載の通信制御方法。
【請求項９】
停止する下位ノードは、上位ノードに対して、自身と自身の下位のノードに割当てられているノードＩＤが返却可能であることを通知し、
前記上位ノードでは、返却可能であると通知されたノードＩＤを、新たな起動要求を通知されたときに再利用可能なＩＤとして登録し、さらに、下位ノードリストから前記停止する下位ノードのノード情報を削除することを特徴とする請求項７または８に記載の通信制御方法。
【請求項１０】
前記停止する下位ノードは、さらに、隣接ノードに対して、自身が停止する旨を通知し、
前記隣接ノードは、隣接ノードリストから前記停止する下位ノードのノード情報を削除することを特徴とする請求項９に記載の通信制御方法。
【請求項１１】
前記システム内に移動通信端末を収容することができないセルが存在する場合に、そのセルを提供する基地局のノードＩＤを移動通信端末に通知し、ハンドオーバ時にその基地局配下のすべてのセルを移動先セルの候補から外すことを特徴とする請求項１〜１０のいずれか一つに記載の通信制御方法。
【請求項１２】
複数のノードで階層構造を形成し、ノード間で階層化されたノードＩＤを構成する無線通信システムであって、
新規に起動した場合に、自身のコンタクト情報を含む起動通知を送信する下位ノードと、
起動通知を受け取った場合に、自身のノードＩＤと前記下位ノードに新たに払い出した固有のＩＤとを組み合わせたノード固有のＩＤ領域、および、前記下位ノードのさらに下位のノードへのＩＤ割当て領域、を含む前記階層化されたノードＩＤを、前記下位ノードに対して割当てる上位ノードと、
を備えることを特徴とする無線通信システム。
【発明の詳細な説明】
【技術分野】
【０００１】
本発明は、各ノードに対して階層的に構成されたＩＤを割当てる通信制御方法および無線通信システムに関するものである。
【背景技術】
【０００２】
移動通信端末では、ハンドオーバを行う場合、共通チャネルをモニタすることでハンドオーバ先の候補となるセルのＩＤを取得し、このセルＩＤをＲＮＣ（Radio  Network  Controller）等の上位ノードに報告する。そして、ＲＮＣは、報告されたセルＩＤに基づいてハンドオーバ先を決定する。また、“ＭＭＳ／ｘＧＳＮ  ＩＤ”，“ＲＮＣ  ＩＤ”，“ＢＴＳ  ＩＤ”，“ＣＥＬＬ  ＩＤ”のとおり構成されたセルＩＤから、ハンドオーバ要求を送信するための経路、およびシグナリングを送信するためのＩＰアドレスやＳＣＴＰポートを導出する（たとえば、下記特許文献１）。
【０００３】
たとえば、端末が同一ＲＮＣ内の異ＢＴＳ配下のセルにハンドオーバを行う場合、ＲＮＣは、セルＩＤに含まれる“ＲＮＣ  ＩＤ”が移動元と移動先で同じことから、ハンドオーバ先のＢＴＳ（セル）が自身の配下であると判断できるので、上記ＩＰアドレスやＳＣＴＰポートの導出処理を自身で行う。また、異なるＲＮＣ配下に存在するＢＴＳ（セル）へハンドオーバを行う場合には、セルＩＤに含まれる“ＲＮＣ  ＩＤ”が異なることから、コアネットワークノードを介してＩｕｒコネクションを確立し、ＩＰアドレスやＳＣＴＰポート等を導出する。
【０００４】
【特許文献１】特開２００１−０２４７００号公報
【発明の開示】
【発明が解決しようとする課題】
【０００５】
しかしながら、上記従来の技術におけるセルＩＤの構成は、コアネットワークノードからセルまでの経路がＲＮＣ／ＢＴＳ／ｃｅｌｌにより構成された固定的な階層構造となっている３Ｇ等システムには適用できるが、コアネットワークノードからセルまでの経路を構成するノードが固定的でないシステムには適用することができない。すなわち、経路を構成するノードが変動する場合には、ノード毎のＩＤの組み合わせでセルＩＤを構成することができない、という問題があった。
【０００６】
また、上記従来の技術では、隣接ノード情報をＲＮＣが静的に管理しているので、ノードが増減する場合には、隣接ノード情報の更新等についてはオペレータによる管理が必要となる。このため、たとえば、小セル化等によってノード数が増加すると、管理コストの増大が予想される、という問題があった。
【０００７】
本発明は、上記に鑑みてなされたものであって、ノード構成が変動するシステムであっても各ノードに対して階層的に構成されたＩＤを割当て可能とし、かつ、オペレータの管理によらずノード情報を管理可能な通信制御方法および無線通信システムを得ることを目的とする。
【課題を解決するための手段】
【０００８】
上述した課題を解決し、目的を達成するために、本発明は、新規に起動した新規ノードが、自身のコンタクト情報を含む起動通知を上位ノードに送信する起動通知送信ステップと、起動通知を受け取った上位ノードが、自身のノードＩＤと前記新規ノードに新たに払い出した固有のＩＤとを組み合わせたノード固有のＩＤ領域、および、前記新規ノードのさらに下位のノードへのＩＤ割当て領域、を含む前記階層化されたノードＩＤを、前記新規ノードに対して割当てるＩＤ割当てステップと、を含むことを特徴とする。
【発明の効果】
【０００９】
この発明によれば、コアノードからセルまでの経路を構成するノードが固定的でないシステムであっても、階層的なＩＤを構成することができる、という効果を奏する。
【発明を実施するための最良の形態】
【００１０】
以下に、本発明にかかる無線通信システムの実施の形態を、図面に基づいて詳細に説明する。なお、この実施の形態によりこの発明が限定されるものではない。
【００１１】
実施の形態１．
図１は、本発明にかかる無線通信システムの実施の形態１の構成例を示す図である。図１の無線通信システムは、コアネットワークノード１Ａと、ＲＮＣ等の無線基地局集約装置であるコンセントレータ２Ａと、基地局（ｅＮｏｄｅＢ）３〜６とを備えている。また、このシステムには、移動通信端末２０が在圏している。なお、図中の楕円は、それぞれ、基地局３配下のセル１００，１０１、基地局４配下のセル１０２、基地局５配下のセル１０３、基地局６配下のセル１０４を表している。
【００１２】
また、図１において、コアネットワークノード１Ａは、大容量の通信回線であるコアネットワーク（図示せず）に接続されており、ここでは、下位ノードに対し、階層化されたＩＤを割当てる。コンセントレータ２Ａは、複数の通信チャネルを１本の伝送回線に結合する。
【００１３】
また、上記コアネットワークノード１Ａは、下位ノードに関する情報（下位ノードのＩＤ，コンタクト情報等）を下位ノードリストとして保持する。また、コアネットワークノード１Ａ以外の各ノードは、自身に隣接するノードに関する情報を隣接ノードリストとして保持する。これらのリストは、ノードの増減に応じて動的に更新され、最新の状態が保たれる。
【００１４】
上記のように構成された無線通信システムにおいて、ノード構成が変動する場合の動作を、基地局４が起動する場合を例に説明する。
【００１５】
基地局４は、起動すると、その旨を示す起動通知を、自身のＩＰアドレスやＳＣＴＰポート番号等のコンタクト情報とともに、上位ノードであるコアネットワークノード１Ａに通知する。そして、その起動通知を受信したコアネットワークノード１Ａは、下位ノードリストに基地局４を新たに加える。また、基地局４に対して、システム構成に応じたＩＤの割当てを行い、そのＩＤを起動通知に対する応答として返信する。さらに、この応答により、コアネットワークノード１Ａが保持する下位ノードリストも通知する。
【００１６】
たとえば、コアネットワークノード１ＡのＩＤが“０ｘ１２３４”の場合、基地局４に対して割当てるＩＤは“０ｘ１２３４０１＊＊（＊はDon't  care）となり、基地局３に対して割当てるＩＤは“０ｘ１２３４０２＊＊（＊はDon't  care）となる。ここでは、“１２３４”の後の“０１”，“０２”が、コアネットワークノード１Ａの下位ノードとして動作する基地局４，３に新たに払い出した固有のＩＤ部分である。また、コンセントレータ２Ａに対して割当てるＩＤは、さらに下位に存在する基地局５，６へのＩＤ割当て領域を残した、たとえば“０ｘ１２３４８＊＊＊”（＊はDon't care）となる。そのため、基地局５に対して割当てるＩＤは“０ｘ１２３４８１＊＊（＊はDon't  care）となり、基地局６に対して割当てるＩＤは“０ｘ１２３４８２＊＊（＊はDon't  care）となる。ここでは、“１２３４”の後の“８”が、コアネットワークノード１Ａの下位ノードとして動作するコンセントレータ２Ａに新たに払い出した固有のＩＤ部分である。また、“１２３４８”の後の“１”，“２”が、コンセントレータ２Ａの下位ノードとして動作する基地局５，６に新たに払い出した固有のＩＤ部分である。
【００１７】
上記起動通知に対する応答によりＩＤを取得した基地局４は、コアネットワークノード１Ａから通知された下位ノードリストに記載されたコンセントレータ２Ａに対して、コンタクト情報に基づいて自身のＩＤとコンタクト情報を含む起動通知を送信する。
【００１８】
基地局４から起動通知を受信したコンセントレータ２Ａは、自身の隣接ノード情報に、起動通知に含まれた基地局４のＩＤとコンタクト情報を追加する。また、起動通知に対する応答として、自身のＩＤとコンタクト情報を応答メッセージに含めて基地局４に通知する。そして、この応答メッセージを受信した基地局４は、自身の隣接ノードリストに、応答メッセージに含まれたコンセントレータ２ＡのＩＤとコンタクト情報を追加する。
【００１９】
以上の動作により、下位ノードリストおよび隣接ノードリストは、常に最新となるように動的に管理される。
【００２０】
つづいて、上記の動作で構築された無線通信システムにおいて、ハンドオーバを行う際の動作について説明する。
【００２１】
たとえば、移動通信端末２０がセル１００からセル１０３へ移動する場合、移動通信端末２０は、モニタしている共通チャネルの品質がセル１００に比べてセル１０３の方が高くなったことを検出した時点で、セル１００を提供する基地局３に対してセル１０３へのハンドオーバを要求する。ハンドオーバ要求を受信した基地局３は、自身の隣接ノードリストを検索し、隣接ノードとしてハンドオーバ先のセル１０３を提供する基地局が存在しないと判断する。一方で、基地局３は、自身の上位ノードを介してハンドオーバ要求をハンドオーバ先に通知する必要があると判断し、上位ノードであるコアネットワークノード１Ａに対してハンドオーバ要求を転送する。
【００２２】
つぎに、ハンドオーバ要求を受信したコアネットワークノード１Ａでは、下位ノードリストを参照し、下位ノードにセル１０３を提供する基地局５が存在すると判断する。そして、コンタクト情報に基づいて、基地局５の上位ノードであるコンセントレータ２Ａに対してハンドオーバ要求を転送する。
【００２３】
つぎに、ハンドオーバ要求を受信したコンセントレータ２Ａでは、自身の隣接ノードリストを参照し、下位ノードにセル１０３を提供する基地局５が存在すると判断する。そして、コンタクト情報に基づいて基地局５に対してハンドオーバ要求を転送する。
【００２４】
上記の動作により、ハンドオーバ要求を最終的に受信した基地局５は、移動通信端末２０がセル１００を移動元としセル１０３を移動先としてハンドオーバを要求していることを認識する。その後、上記各装置が、ハンドオーバ要求とは逆の経路で、ハンドオーバ要求に対する応答を返信し、移動通信端末２０によるハンドオーバを実現する。
【００２５】
以上説明したように、本実施の形態では、無線通信システムを構成するノードに対して、システム構成に応じた階層的なＩＤを動的に付与することとした。すなわち、ノード毎のＩＤの組み合わせでＩＤを構成することとした。これにより、コアノードからセルまでの経路を構成するノードが固定的でないシステムであっても、階層的なＩＤを構成することができる。また、下位ノードリストおよび隣接ノードリストを動的に更新することとしたので、たとえば、システムを構成するノードが増減する場合であっても、オペレータの管理によらずリストの管理が可能となり、伴ってルーチングの効率化が可能となる。
【００２６】
なお、本実施の形態では、上記ＩＤ割当て処理の一例として、たとえば、図２または図３のＩＤ割当て方法を採用することとしてもよい。これらのＩＤ割当て方法を採用した場合であっても上記と同様の効果を得ることができる。
【００２７】
図２は、ＩＤ割当て方法の一例を示す図である。この例では、コアネットワークノード１Ａが、特定の下位ノードに対して、ＩＤ値として“０ｘ１２３４５０７０”を割当て、ビットマスクとして“０ｘＦＦＦＦＦ０Ｆ０”を割当てた場合を想定する。この場合、上記特定の下位ノードのＩＤは、ビットマスクによりマスクされた“０ｘ１２３４５０７０”となる。また、さらに下位のノードに対してＩＤを割当てる際には、マスクされていない領域２００を新たに割当て可能な領域として使用することができる。
【００２８】
また、図３は、上記図２とは異なるＩＤ割当て方法の一例を示す図である。この例では、コアネットワークノード１Ａが、特定の下位ノードに対して、ＩＤ値、およびＩＤ領域を示す情報としてプレフィクス長、を通知することとした。したがって、コアネットワークノード１Ａが、ＩＤ値として“０ｘ１２３４５６７０”を割当て、プレフィックス長として“２８ｂｉｔ”を割当てた場合、特定の下位ノードのＩＤは、プレフィックス長により指定された範囲の“０ｘ１２３４５６７”となる。また、さらに下位のノードに対してＩＤを割当てる際には、プレフィックス長で指定されていない領域３００を新たに割当て可能な領域として使用することができる。
【００２９】
実施の形態２．
実施の形態１では、下位ノードに対して動的に階層的なＩＤを付与するＩＤ割当て処理、および下位ノードリストおよび隣接ノードリストを動的に更新することによるルーチングの効率化、について説明した。本実施の形態では、ＩＤ割当ておよびルーチングのさらなる効率化を図る。以下では、前述した実施の形態１と異なる処理について説明する。
【００３０】
図４は、本発明にかかる無線通信システムの実施の形態２の構成例を示す図である。この無線通信システムは、コアネットワークノード１Ｂと、基地局７〜９とを備えている。また、図中の楕円は、それぞれ、基地局７配下のセル１０５，１０６、基地局８配下のセル１０７，１０８、基地局９配下のセル１０９，１１０を表している。
【００３１】
また、上記コアネットワークノード１Ｂは、前述したコアネットワークノード１Ａと同様に、下位ノードに関する情報を下位ノードリストとして保持する。また、各基地局は、前述した実施の形態１の基地局と同様に、自身に隣接するノードに関する情報を隣接ノードリストとして保持する。これらのリストは、ノードの増減に応じて動的に更新され、最新の状態が保たれる。
【００３２】
つぎに、上記のように構成された無線通信システムにおいて、ノード構成が変動する際の動作を説明する。
【００３３】
たとえば、基地局７および８が既に起動している状態で、新たに基地局９が起動した場合を想定する。この場合、基地局９では、自身のＩＰアドレスやＳＣＴＰポート番号等のコンタクト情報、および自身が提供可能なセルの数（上限値）として「２」、を含めた起動通知を、上位ノードであるコアネットワークノード１Ｂに通知する。コアネットワークノード１Ｂでは、起動通知の内容に従い、基地局９に対して、さらに下位の２つのセルにＩＤを割当てることが可能な領域を有するＩＤを割当てる。なお、基地局９に対してこのＩＤを割当てる場合は、実施の形態１で述べた方法で割当てることとする。
【００３４】
なお、基地局９に対して割当てるＩＤに空きがない場合、コアネットワークノード１Ｂは、既にＩＤを割当てている下位ノードである基地局７および基地局８に対して、必要なＩＤの数に関する情報とともに空きＩＤの返却要求を通知する。この要求を通知された基地局７および基地局８は、不要なＩＤをコアネットワークノード１Ｂに返却する。そして、コアネットワークノード１Ｂでは、返却されたＩＤを基地局９に対して割当てる。このように、割当てるＩＤに空きがない状態であっても他のノードに不要なＩＤの返却を要求することにより、ノードがさらに増加した場合においても対応可能となる。
【００３５】
また、起動中の基地局８は、たとえば、自身を停止させる場合、コアネットワークノード１Ｂに対して、自身とその下位ノード（ここではセル）に割当てられているＩＤが返却可能であることを通知する。コアネットワークノード１Ｂでは、返却可能であると通知されたＩＤを、新たな起動要求を通知されたときに再利用可能なＩＤとして登録し、さらに、下位ノードリストから基地局８に関する情報を削除する。また、基地局８は、上記コアネットワークノード１Ｂへの通知の他に、隣接ノードである基地局７に対して自身が停止する旨を通知する。これにより、基地局７は、自身の隣接ノードリストから基地局８に関する情報を削除する。
【００３６】
以上のように、本実施の形態では、所定の下位ノードが、自身のさらに下位のノードの個数をコアネットワークノードに対して通知することとしたので、ＩＤ割当ておよびルーチングのさらなる効率化を実現することができる。また、ＩＤが不足した場合には既に割当て済みのＩＤの返却を要請することとし、起動中の基地局が停止するときにはＩＤが返却可能であることを通知することとしたので、さらに柔軟なＩＤ管理が可能となる。
【００３７】
実施の形態３．
本実施の形態では、移動通信端末を収容することができないセルが存在する場合について説明する。以下では、前述した実施の形態１，２と異なる処理について説明する。
【００３８】
図５は、本発明にかかる無線通信システムの実施の形態３の構成例を示す図である。この無線通信システムは、前述したコアネットワークノード１Ａまたはコアネットワークノード１Ａと同様の動作を行うコアネットワークノード１Ｃと、コンセントレータ２Ａと、基地局１０〜１２とを備えている。また、このシステムには、移動通信端末３０が在圏している。また、図中の楕円は、それぞれ、移動通信端末３０を収容可能な基地局１０配下のセル１１１，１１２、移動通信端末３０を収容可能な基地局１１配下のセル１１３、移動通信端末３０を収容することができない基地局１２配下のセル１１４，１１５を表している。
【００３９】
つぎに、以上のように構成された無線通信システムにおけるハンドオーバ動作を説明する。ここでは、基地局１０〜１２が全て起動し、ＩＤの割当てや各種ノードリストの更新が既に完了している場合を想定する。また、基地局１０は、起動時のコアネットワークノード１Ｃとのやりとりで、基地局１２が移動通信端末３０を収容できない基地局であること、を認識していることを前提とする。
【００４０】
この状態で、基地局１０は、セル１１１に在圏する移動通信端末３０に対して、移動通信端末３０を収容することができない基地局配下のセルを示すセルリストを通知する。具体的には、セルリストとして、セル１１４，１１５に割当てられたセルＩＤではなく、基地局１２のＩＤを通知する。
【００４１】
上記セルリストとして基地局１２のＩＤを受信した移動通信端末３０は、ハンドオーバを実行する場合に、基地局１２配下のすべてのセルを移動先セルの候補から外し、基地局１２配下のセル以外のセルから移動先を選択する。
【００４２】
以上説明したように、本実施の形態では、システム内に移動通信端末を収容することができないセルが存在する場合に、予めそのセルを提供している基地局を移動通信端末に通知し、ハンドオーバ時にその基地局配下のすべてのセルを移動先セルの候補から外すこととした。これにより、ハンドオーバ時の通信量を削減することが可能となり、効率のよいハンドオーバが可能となる。
【産業上の利用可能性】
【００４３】
以上のように、本発明にかかる通信制御方法は、ノード構成が変動する移動体通信システムに有用であり、特に、システムを構成する各ノードに対して階層的に構成されたＩＤを割当てるシステムに適している。
【図面の簡単な説明】
【００４４】
【図１】本発明にかかる無線通信システムの実施の形態１の構成例を示す図である。
【図２】ＩＤ割当て方法の一例を示す図である。
【図３】上記図２とは異なるＩＤ割当て方法の一例を示す図である。
【図４】本発明にかかる無線通信システムの実施の形態２の構成例を示す図である。
【図５】本発明にかかる無線通信システムの実施の形態３の構成例を示す図である。
【符号の説明】
【００４５】
１Ａ，１Ｂ，１Ｃ  コアネットワークノード
２Ａ  コンセントレータ
３，４，５，６，７，８，９，１０，１１，１２  基地局
２０，３０  移動通信端末
１００，１０１，１０２，１０３，１０４，１０５，１０６，１０７，１０８，１０９，１１０，１１１，１１２，１１３，１１４，１１５  セル
【図１】
2009164785.tif 000003
【図２】
2009164785.tif 000004
【図３】
2009164785.tif 000005
【図４】
2009164785.tif 000006
【図５】
2009164785.tif 000007